(57)【特許請求の範囲】
【請求項１】
ディスク移送時に該ディスクを支持するディスク支持部材と、該ディスク支持部材をディスク装置内部のターンテーブル配設位置に対応した第１位置とディスク装置外部のディスク着脱位置に対応した第２位置との間で往復動可能に駆動するディスク支持部材駆動装置とを備えたディスク移送装置であって、
上記ディスク支持部材は、ディスク片面を支持する第１ディスク支持部材と、該第１ディスク支持部材と別体に設けられ、上記ディスクの他面の一部を支持する第２ディスク支持部材とを備えており、
上記ディスク支持部材駆動装置は、上記ディスク装置の装置ベース上に配設され上記ディスク支持部材の往復動方向へスライド可能に支持されたスライド部材と、該スライド部材を駆動するスライド駆動機構と、上記装置ベース上に回動可能に支持されると共に上記スライド部材に連結される第１連結部と上記第１ディスク支持部材に連結される第２連結部とを有して該第１ディスク支持部材を駆動する駆動アームとを備え、
該駆動アームの駆動力を上記第１ディスク支持部材のみに伝達する第１伝達状態と、上記駆動アームの駆動力の一部を上記第２ディスク支持部材に伝達する第２伝達状態とに、駆動力の伝達状態を切り換える駆動力伝達状態切換機構が設けられており、
上記駆動力伝達状態切換機構は、自重による垂下状態で上記第２ディスク支持部材に対し相対的に揺動自在に支持されたレバー部材と、鉛直方向に対し所定角度で傾斜する傾斜部を有して上記第１ディスク支持部材に設けられ、上記ディスクの傾斜角度が上記所定角度を越えると上記レバー部材を係止し得るレバー係止部とを備え、
上記駆動力伝達状態切換機構は、上記ディスクが水平状態および水平から上記所定角度範囲内の傾斜状態である場合には、上記レバー部材と上記レバー係止部とが非係合状態であり上記駆動アームの駆動力が上記第１伝達状態で伝達され、上記ディスクの傾斜角度が上記所定角度を越える一定値以上である場合には、上記レバー部材と上記レバー係止部とが係合することによって上記駆動アームの駆動力が上記第２伝達状態で伝達されるように、上記駆動アームの駆動力の伝達状態を切り換える、
ことを特徴とするディスク移送装置。
【請求項２】
鉛直方向に対して上記所定角度を越える上記一定値の角度で傾斜する傾斜部を有し、上記ディスクの傾斜角度が上記一定値を越えるまでは上記レバー部材を係止し得る突起部が上記装置ベースに設けられ、
上記ディスクの傾斜角度が上記所定角度を越え上記一定値の角度に至るまでは、上記レバー部材が上記突起部と上記レバー係止部の両方と係合することにより、上記第１ディスク支持部材及び上記第２ディスク支持部材の移動が規制される、
ことを特徴とする請求項１記載のディスク移送装置。
【請求項３】
上記第１及び第２のディスク支持部材の少なくとも何れか一方は、実質的に透明なプラスチックで形成されていることを特徴とする請求項１又は請求項２に記載のディスク移送装置。
【請求項４】
上記装置ベースには開口部が形成され、該開口部内には、上記ターンテーブルを備えた部品ユニットが装置ベースに対して昇降可能に配置されており、
上記スライド部材のスライド動作に連動して上記部品ユニットを昇降させる昇降機構と、上記スライド部材のスライド位置に応じて上記駆動アームによる第１ディスク支持部材の駆動を規制する駆動規制機構とが設けられ、
上記ディスク支持部材が上記第１位置にある場合において、上記スライド部材が所定位置に達するまでは、上記駆動規制機構により第１ディスク支持部材の駆動が規制されると共に上記昇降機構により上記部品ユニットが下降させられ、上記スライド部材が上記所定位置に達すると上記駆動規制機構による規制が解除される、
ことを特徴とする請求項１〜請求項３の何れか一に記載のディスク移送装置。
【請求項５】
上記装置ベース上に、上記スライド部材と平行に延設され上記ディスク支持部材の往復動方向へスライド可能に支持されたサブスライド部材と、上記スライド部材のスライド動作に連動して上記サブスライド部材を駆動するサブスライド駆動機構とが配設され、
上記スライド部材及びサブスライド部材は、上記部品ユニットの一対の平行な側面部にそれぞれ対向するように配置されると共に、該部品ユニットの昇降動作を案内するガイド溝をそれぞれ有しており、
上記部品ユニットの各側面部に設けられた支持ピンが、上記スライド部材及びサブスライド部材の上記各ガイド溝にそれぞれ係合している、
ことを特徴とする請求項４記載のディスク移送装置。
【発明の詳細な説明】
【０００１】
【発明の属する技術分野】
この発明は、例えば、所謂ＣＤ（コンパクト・ディスク）や所謂ＤＶＤ（デジタル・ビデオ・ディスク若しくはデジタル・バーサタイル・ディスク）など、情報記録媒体としてのディスクに情報信号を記録及び／又は記録された情報信号を再生するためのディスク装置に用いられるディスク移送装置に関する。
【０００２】
【従来の技術】
従来、上記のようなディスク装置に用いられるディスク移送装置として、ディスク使用機器の前面パネルにディスクトレイ出し入れ用の開口部が設けられ、この開口部から出て来たトレイ上にディスクが載置された後、該ディスクがトレイごと自動的に装置内部の所定位置（ターンテーブルへの着脱位置）に引き込まれるように構成したものは、一般に良く知られている。
【０００３】
このタイプのディスク装置では、装置内部に引き込まれたトレイ上のディスクを、ターンテーブル上に装着しクランパとの間に挟み込んだ状態で所定の回転数で回転させながら、例えば再生する場合にあっては、このディスク上に記録された情報信号を記録再生装置により再生する。すなわち、ディスク上の所定範囲に記録された信号のトラック位置に応じて、信号読み取りのためのピックアップを移動させることにより、情報信号の再生が行われるようになっている。
【０００４】
ところで、上記のようにディスクの移送にトレイを用いるタイプのディスク装置の場合、その設置姿勢に応じた形式としては、ディスクを略水平に支持した状態で使用する、所謂、横置きタイプのものが一般的であるが、用途や設置場所等によっては、ディスクを水平方向からある程度以上傾斜した状態で（例えば略垂直状態で）支持して使用する、所謂、縦置きタイプのものが求められる場合もある。
【０００５】
このような縦置きタイプを実現する場合、トレイのディスク支持面の外周部分に、略垂直状態のディスク外周部を受け合う複数の爪部を設けておき、これら爪部でディスク外周部を支持した状態で、当該ディスクの移送を行わせるようにすることが考えられる。
図４４は、縦置きタイプのパーソナル・コンピュータＥ１２の斜視図である。この図に示すように、上記パーソナル・コンピュータＥ１２に組み込まれたディスク装置では、ディスクトレイ１０１のディスク支持部１０１ａの外周部近傍に複数の係止爪１０２が配置されている。これら係止爪１０２は、枢支軸１０２ｓを中心に回動可能に設けられている。
【０００６】
そして、各係止爪１０２を外側に回動させた状態で、ディスク支持部１０１ａにディスク（不図示）をセットした後、各係止爪１０２を内側に回動させて（図４４に示された状態）ディスクを係止する。これにより、トレイ１０１のディスク支持部１０１ａと各係止爪１０２との間にディスクを保持することができ、この保持状態でディスクの移送が行われる。
【０００７】
【発明が解決しようとする課題】
しかしながら、この構成では、ディスクをトレイ１０１に装着する際およびトレイ１０１から取り外す際には、常に、ディスクを傷付けないように細心の注意を払いながら、上記各係止爪１０２を回動操作しなければならず、ディスクの着脱（取り付け／取り外し）作業が非常に煩わしいという問題が生じる。
また、上記の構成では、一つのディスク装置を、用途や設置場所等によって横置き姿勢と縦置き姿勢の両方に対応して使用するにも非常に不便である。
【０００８】
ところで、上記のようにディスクの移送にトレイを用いるタイプのディスク装置の場合、トレイをスライド駆動する駆動機構としては、ラック歯を有してスライド方向に延びるラックをトレイに固定して設けており、モータの駆動力をギヤ機構を介して上記ラックに伝達し、該ラックを駆動することによりトレイをディスク移送方向へスライド動作させるようにしたものが一般的である。
【０００９】
この場合、上記ラックは、トレイの幅広化を回避し且つディスク支持面との干渉を確実に回避する等の観点から、通常、トレイ裏面側に固定される。従って、ディスク装置を通常の横置き姿勢で用いる限りにおいては、上記ラックが使用者の目に触れることは殆ど無く、また、ラック裏面側の外観性に留意する必要も特にない。
【００１０】
しかしながら、上記ディスク装置を縦置き姿勢で使用する場合には、トレイを引き出した際に、その裏面側が露出して使用者の目に触れることとなる。この場合、従来では、トレイ裏面側にトレイ駆動機構の一部であるラックが固設されているので、それだけ見映えが劣り外観性が低下するという難点があった。特に、ラックのラック歯には、通常、潤滑グリースが塗布されており、見映えが悪いだけでなく、使用者の手や衣服などを汚す惧れもある。
【００１１】
また、トレイをディスク装置に対して出し入れする際には、ターンテーブルとトレイとの干渉を回避するために、ターンテーブルをトレイと干渉しない位置に保持しておき、しかも、ディスクの記録／再生時には、該ディスクをターンテーブルとクランパとの間に挟持できる所定位置にターンテーブルを戻す必要がある。
このようなトレイの出し入れ動作およびターンテーブルの昇降動作を互いに連動して行わせるに際して、できるだけ簡単な構成で、且つ、スムースな連動を行わせることが望まれている。
【００１２】
この発明は、上記技術的課題に鑑みてなされたもので、縦置き姿勢での使用におけるトレイの外観性を向上でき、また、比較的簡単な構成で、トレイの出し入れ動作とターンテーブルの昇降動作をスムースに連動して行わせることができるディスク移送装置を提供することを、基本的な目的とする。
【００１３】
【課題を解決するための手段】
このため、本願請求項１の発明（以下、第１の発明という）に係るディスク移送装置は、ディスク移送時に該ディスクを支持するディスク支持部材と、該ディスク支持部材をディスク装置内部のターンテーブル配設位置に対応した第１位置とディスク装置外部のディスク着脱位置に対応した第２位置との間で往復動可能に駆動するディスク支持部材駆動装置とを備えたディスク移送装置を前提としている。
上記ディスク支持部材は、ディスク片面を支持する第１ディスク支持部材と、該第１ディスク支持部材と別体に設けられ、上記ディスクの他面の一部を支持する第２ディスク支持部材とを備えており、また、上記ディスク支持部材駆動装置は、上記ディスク装置の装置ベース上に配設され上記ディスク支持部材の往復動方向へスライド可能に支持されたスライド部材と、上記装置ベースに設けられ上記スライド部材を駆動するスライド駆動機構と、上記装置ベース上に回動可能に支持されると共に上記スライド部材に連結される第１連結部と上記第１ディスク支持部材に連結される第２連結部とを有して該第１ディスク支持部材を駆動する駆動アームとを備えている。そして、該駆動アームの駆動力を上記第１ディスク支持部材のみに伝達する第１伝達状態と、上記駆動アームの駆動力の一部を上記第２ディスク支持部材に伝達する第２伝達状態とに、駆動力の伝達状態を切り換える駆動力伝達状態切換機構が設けられていることを特徴としたものである。
上記駆動力伝達状態切換機構は、自重による垂下状態で上記第２ディスク支持部材に対し相対的に揺動自在に支持されたレバー部材と、鉛直方向に対し所定角度で傾斜する傾斜部を有して上記第１ディスク支持部材に設けられ、上記ディスクの傾斜角度が上記所定角度を越えると上記レバー部材を係止し得るレバー係止部とを備えている。そして、上記ディスクが水平状態および水平から上記所定角度範囲内の傾斜状態である場合には、上記レバー部材と上記レバー係止部とが非係合状態であり上記駆動アームの駆動力が上記第１伝達状態で伝達され、上記ディスクの傾斜角度が上記所定角度を越える一定値以上である場合には、上記レバー部材と上記レバー係止部とが係合することによって上記駆動アームの駆動力が上記第２伝達状態で伝達されるように、上記駆動アームの駆動力の伝達状態を切り換える。
【００１４】
この構成においては、上記第１ディスク支持部材は、上記スライド部材とスライド駆動機構と駆動アームとを備えたディスク支持部材駆動装置により、上記第１位置と第２位置との間で往復動可能に駆動される。上記スライド部材，スライド駆動機構および駆動アームは、何れも装置ベースに設けられており、これら駆動用の要素が第１ディスク支持部材に設けられることはない。また、この場合において、駆動アームの駆動力の伝達状態は、上記駆動力伝達状態切換機構により、第１ディスク支持部材のみに伝達される第１伝達状態と、駆動力の一部が上記第２ディスク支持部材に伝達される第２伝達状態とに切り換えられる。また、この構成では、ディスクの傾斜角度に応じて、上記駆動力の伝達状態が第１伝達状態と第２伝達状態との間で切り換えられる。
【００１５】
また、本願請求項２に係る発明（以下、第２の発明という）は、上記第１の発明において、鉛直方向に対して上記所定角度を越える上記一定値の角度で傾斜する傾斜部を有し、上記ディスクの傾斜角度が上記一定値を越えるまでは上記レバー部材を係止し得る突起部が上記装置ベースに設けられ、上記ディスクの傾斜角度が上記所定角度を越え上記一定値の角度に至るまでは、上記レバー部材が上記突起部と上記レバー係止部の両方と係合することにより、上記第１ディスク支持部材及び上記第２ディスク支持部材の移動が規制される、ことを特徴としたものである。
【００１６】
更に、本願請求項３に係る発明（以下、第３の発明という）は、上記第１又は第２の発明において、上記第１及び第２のディスク支持部材の少なくとも何れか一方は、実質的に透明なプラスチックで形成されていることを特徴としたものである。
この構成では、上記ディスク支持部材の少なくとも一部が実質的透明に構成される。この場合において、上記第１及び第２のディスク支持部材の両方が、更には、ディスク支持部材の全体が、実質的に透明なプラスチックで構成されることが、より好ましい。また、上記第１ディスク支持部材のディスク支持面の少なくとも一部を実質的に透明なプラスチックで構成した場合には、該第１ディスク支持部材の裏面側からでもディスクの有無が容易に視認できる。尚、実質的に透明なプラスチックとしては、例えばアクリル樹脂を用いることができる。
【００１７】
また更に、本願請求項４に係る発明（以下、第４の発明という）は、上記第１〜第３の何れか一発明において、上記装置ベースには開口部が形成され、該開口部内には、上記ターンテーブルを備えた部品ユニットが装置ベースに対して昇降可能に配置されており、上記スライド部材のスライド動作に連動して上記部品ユニットを昇降させる昇降機構と、上記スライド部材のスライド位置に応じて上記駆動アームによる第１ディスク支持部材の駆動を規制する駆動規制機構とが設けられ、上記ディスク支持部材が上記第１位置にある場合において、上記スライド部材が所定位置に達するまでは、上記駆動規制機構により第１ディスク支持部材の駆動が規制されると共に上記昇降機構により上記部品ユニットが下降させられ、上記スライド部材が上記所定位置に達すると上記駆動規制機構による規制が解除される、ことを特徴としたものである。
この構成では、ディスク支持部材が上記第１位置にある場合において、上記スライド部材が所定位置に達するまでは、上記駆動規制機構により第１ディスク支持部材の駆動が規制され、且つ、上記昇降機構により部品ユニットが（従って、ターンテーブルが）下降させられる。そして、スライド部材が上記所定位置に達すると上記駆動規制機構による規制が解除され、駆動アームによる第１ディスク支持部材の駆動が可能となる。
【００１８】
また更に、本願請求項５に係る発明（以下、第５の発明という）は、上記第４の発明において、上記装置ベース上に、上記スライド部材と平行に延設され上記ディスク支持部材の往復動方向へスライド可能に支持されたサブスライド部材と、上記スライド部材のスライド動作に連動して上記サブスライド部材を駆動するサブスライド駆動機構とが配設され、上記スライド部材及びサブスライド部材は、上記部品ユニットの一対の平行な側面部にそれぞれ対向するように配置されると共に、該部品ユニットの昇降動作を案内するガイド溝をそれぞれ有しており、上記部品ユニットの各側面部に設けられた支持ピンが、上記スライド部材及びサブスライド部材の上記各ガイド溝にそれぞれ係合している、ことを特徴としたものである。
この構成では、部品ユニットの一対の平行な側面部に対向するようにスライド部材及びサブスライド部材が配置され、上記部品ユニットは、各側面部に設けられた支持ピンが上記スライド部材及びサブスライド部材の各ガイド溝にそれぞれ係合することにより、その昇降動作が案内される。
【００１９】
【発明の実施の形態】
以下、本発明の実施の形態について、添付図面を参照しながら詳細に説明する。図１及び図２は、情報記録媒体としての所謂ＣＤ若しくはＤＶＤ等のディスクを使用するディスク使用機器（例えば、所謂パーソナル・コンピュータ）Ｅ１及びＥ２の斜視図である。図１はディスクを略水平状態で使用する所謂横置きタイプのパーソナル・コンピュータＥ１を示し、図２はディスクを略垂直状態で使用する所謂縦置きタイプのパーソナル・コンピュータＥ２を示している。また、図３は、上記縦置きタイプのパーソナル・コンピュータＥ２において、その外部に引き出されたディスク３と、該ディスク３を保持したディスクトレイ６１，７１（トレイユニット６０）を拡大して示す斜視図である。
【００２０】
上記各パーソナル・コンピュータＥ１，Ｅ２には、本実施の形態に係るディスク移送装置を備えたディスク装置１がそれぞれ組み込まれている。このディスク装置１は、以下に詳しく説明するように、上記横置き及び縦置きの何れのタイプのディスク使用機器Ｅ１及びＥ２に対しても適用することができる。
【００２１】
また、上記ディスク装置１は、一つのディスク使用機器が、使用箇所や使用状況に応じ、縦置きと横置きの両方の取付姿勢で使い分けられる場合にも、支障なく適用することができる。すなわち、所謂、２ウェイ・レイアウトフリー（2 way layout-free）である。更には、縦置き姿勢で引き出したトレイユニット６０を横置き姿勢に変更した状態でも、支障なく装置１内に引き込んで収納でき、或いは、その逆に、横置き姿勢で引き出したトレイ６１（メイントレイ）を縦置き姿勢に変更した状態でも、支障なく装置１内に引き込んで収納することもできる。すなわち、所謂、完全レイアウトフリーが求められる場合にも、有効に対応することができる。
【００２２】
図４及び図５は、上記ディスク装置の横置き姿勢でトレイ収納状態及びトレイ引き出し状態をそれぞれ示す斜視図である。また、図６は、上記ディスク装置の縦置き姿勢でトレイ引き出し状態を示す斜視図である。
これらの図から良く分かるように、本実施の形態に係るディスク装置１では、横置き姿勢で用いられる場合にはメイントレイ６１のみが駆動され、このメイントレイ６１上にディスク３を載置した状態でディスク移送が行われる。一方、縦置き姿勢で用いられる場合にはメイントレイ６１とサブトレイ７１の両方が駆動され、これら両トレイ６１，７１でディスク３を保持させた状態でディスク移送が行われる。
【００２３】
尚、本実施の形態では、ディスクトレイ６１，７１が装置１内から引き出される方向をディスク装置１の前方と称し、これとは逆にディスクトレイ６１，７１が装置１内に引き込まれる方向をディスク装置１の後方と称する。
【００２４】
図７は、上記ディスク装置１の横置き姿勢での分解斜視図である。この図に示すように、ディスク装置１は、その基本的な構成要素として、ベースユニット１０とトラバースユニット４０とトレイユニット６０とクランプユニット８０とを備えている。
また、図８，図９，図１０及び図１１の分解斜視図は、上記ディスク装置１のベースユニット１０，トラバースユニット４０，トレイユニット６０及びクランプユニット８０をそれぞれ拡大して示すものである。
【００２５】
上記ベースユニット１０は、装置１の主要な構成要素に対する取付基部としての装置ベース１１を備えている。この装置ベース１１は、その全体形状が平面視で略矩形フレーム状に形成され、その内側開口部１１Ｈ（図８参照）に上記トラバースユニット４０が組み付けられる。
このトラバースユニット４０は、ディスクを回転させる回転機構およびディスクに対して情報信号を記録及び／又は記録された情報信号を再生する記録／再生機構の主要部の取付基部としてのトラバースベース１１を備えている。尚、後で詳しく説明するように、本ディスク装置１では、呼称直径サイズが１２ｃｍの通常ディスク（大径ディスク３）のみならず、呼称直径サイズが８ｃｍの小径ディスクも記録／再生することができる。
【００２６】
上記トラバースユニット４０は、ターンテーブル４５及びピックアップ装置４６等のトラバース部品を搭載したトラバースベース４１を備えると共に、該トラバースベース４１の外側に中間フレーム４２を備えている。図１２から良く分かるように、この中間フレーム４２の内側４隅には、例えばゴム等の弾性部材あるいはこれに加えてバネ部材を組み合わせて構成されたフローティングブッシュ４３がそれぞれ配設されている。
【００２７】
トラバースベース４１は、これら複数のフローティングブッシュ４３を介して、中間フレーム４２に対し一定範囲内（つまり、上記フローティングブッシュ４３の弾性範囲内）で浮動可能な状態（所謂、フローティング状態）で支持されている。かかるフローティング支持構造は従来公知のものであるので、これ以上の詳細な図示および説明は省略する。尚、中間フレーム４２の外側４角に形成された各固定板部４２ａ（図９参照）は、本実施の形態では特に使用されることはないが、挿通穴４２ｈにネジ部材等を適用して、中間フレーム４２を固定する際に用いられるものである。
【００２８】
中間フレーム４２の外側壁部には複数のガイドピン４２ｐが突設されており、中間フレーム４２は、これらガイドピン４２ｐを介して、装置ベース１１に対し昇降動作可能に支持されている。換言すれば、トラバースベース４１は（つまり、トラバースユニット４０は）、中間フレーム４２を介して、装置ベース１１に対しフローティング状態で、且つ、昇降可能に支持されており、装置ベース１１からトラバースユニット４０への振動の伝達が抑制されるようになっている。尚、トラバースユニット４０の装置ベース１１に対する昇降機構については後述する。
【００２９】
上記トラバースベース４１には、図９に詳しく示されるように、ディスクを回転可能に支持するターンテーブル４５と、該ターンテーブル４５に支持されたディスクに対する記録／再生を行うためのピックアップ装置４６とが搭載されている。また、このピックアップ装置４６を駆動する駆動機構として、モータギヤ５１と中間ギヤ５２と出力ギヤ５３とで成るギヤセットと、上記出力ギヤ５３の小径歯車と噛み合うラック歯を有するラックプレート５４とが設けられている。更に、トラバースベース４１に形成された開口部４１Ｈ内に延びるガイドロッド５５が設けられている。
【００３０】
該ガイドロッド５５及び上記ラックプレート５４は、上記ターンテーブル４５のラジアル方向（つまり、該ターンテーブル５４に支持されたディスクのラジアル方向）と平行に延びている。
上記ピックアップ装置４６はラックプレート５４と一体的に結合される一方、上記ガイドロッド５５に対してスライド可能に係合しており、ピックアップ装置４６は、ガイドロッド５５で案内されながら上記ラックプレート５４と一体的に駆動される。
【００３１】
上記モータギヤ５１は電動モータ（不図示）の出力軸に固定されており、該電動モータが駆動されることにより、この駆動力が上記ギヤセット（モータギヤ５１，中間ギヤ５２及び出力ギヤ５３）を介してラックプレート５４に伝達され、このラックプレート５４と共にピックアップ装置４６が、ターンテーブル４５のラジアル方向に駆動され、該ターンテーブル５４に支持されたディスクに対して情報信号の記録／再生を行うようになっている。
【００３２】
尚、具体的には図示しなかったが、上記トラバースベース４１の裏面側には、上記ターンテーブル４５を回転駆動するスピンドルモータと、上記ピックアップ装置４６を駆動するモータの２個の電動モータが取り付けられ、また、ターンテーブル４５及びピックアップ装置４６等を駆動制御するための制御基板が固定されている。この制御基板の構成およびターンテーブル４５及びピックアップ装置４６の制御方法等は、従来公知のものと同様のものであるので、その詳細についての説明は省略する。
【００３３】
上記ベースユニット１０は、図８及び図１３に詳しく示されるように、装置ベース１１に対しトレイ往復動方向（つまり、装置１の前後方向）へスライド可能に支持されたスライド部材としての駆動ラック３１と、メイントレイ６１を駆動する駆動アーム３２とを備えている。
【００３４】
この駆動アーム３２は、一端側が枢支ピン３２ｐを介して装置ベース１１に枢支（回動可能に支持）され、他端側が駆動ピン３２ｑを介して上記メイントレイ６１に連結されている。すなわち、駆動アーム３２は、枢支ピン３２ｐを中心にして装置ベース１１と平行な面内で回動可能に支持されている。更に、駆動アーム３２の途中部には、所定形状および長さのガイド溝３２ｇが形成されており、このガイド溝３２ｇに駆動ラック３１に固着された第１ピン３１ｐが係合することにより、駆動アーム３２が駆動ラック３１に連結されている。
上記駆動アーム３２のガイド溝３２ｇ，駆動ピン３２ｑが、本願請求項に記載した駆動アームの第１連結部，第２連結部にそれぞれ相当している相当している
【００３５】
また、装置ベース１１には、上記駆動ラック３１をスライド可能に駆動するスライド駆動機構として、電動モータ２１とモータプーリ２２と伝動ベルト２３とギヤセット２４，２５，２６とが設けられている。該ギヤセット２４，２５，２６は、上記モータ２１の出力軸に固定されたモータプーリ２２及び伝動ベルト２３を介してモータ２１の出力により駆動されるプーリギヤ２４と、上記駆動ラック３１のラック歯３１ｇと噛み合う小径歯車を有する出力ギヤ２６と、両ギヤ２４，２６間に配設された中間ギヤ２５とで構成されている。
【００３６】
電動モータ２１が駆動されることにより、この駆動力が上記モータプーリ２２，伝動ベルト２３及びギヤセット（プーリギヤ２４，中間ギヤ２５及び出力ギヤ２６）を介して駆動ラック３１に伝達され、駆動ラック３１がディスク装置１の前後方向へスライド駆動される。この駆動ラック３１のスライド方向は、電動モータ２１の回転方向に応じて切り換えられる。
【００３７】
図７に示されるように、上記電動モータ２１は、モータ基板１６を介して装置ベース１１に対しその裏面側から組み付けられている。また、上記モータ基板１６には、トレイを装置１から引き出す際にОＮされるオープン・スイッチ１７と、トレイを装置１内に引き込んで記録／再生が行われる際にОＮされるプレイ・スイッチ１８とが取り付けられており、何れのスイッチ１７又は１８がОＮされるかによって、上記電動モータ２１の回転方向が決まるようになっている。
【００３８】
更に、装置ベース１１には、上記駆動ラック３１と対向する側に、サブスライド部材としてのサブラック３５が配設されている。該サブラック３５は、駆動ラック３１と平行に延設され、装置ベース１１に対しトレイ往復動方向（つまり、装置１の前後方向）へスライド可能に支持されている。また、このサブラック３５の後部の側方には、ロックレバー３６が配置されている。該ロックレバー３６は、枢支部３６ｐを中心にして回動可能に装置ベース１１上に支持されている。このロックレバー３６は、付勢バネ３７によって、その先端部がサブラック３５側に回動する方向へ常時付勢されている。
【００３９】
上記ロックレバー３６は、メイントレイ６１がディスク装置１内に引き込まれて第１位置にあるときに、メイントレイ６１の不用意な前方移動を規制するものである。メイントレイ６１が第１位置にある状態では、上記ロックレバー３６の先端部が、メイントレイ６１の後部に形成された係止片部６１ｍ（図２６参照）と係合しており、メイントレイ６１の前方移動を規制している。
このロックレバー３６は、サブラック３５の後方へのスライド動作で回動され、メイントレイ６１のロック状態が解除される。サブラックが更に後退すると、その先端側がサブラック３５の係合凹部３５ｊ（図１９参照）に収容されるようになっている。
【００４０】
また更に、装置ベース１１には、駆動ラック３１のスライド位置に応じて回動するチェンジレバー３３が配設されている。該チェンジレバー３３は、枢支部３３ｐを中心にして装置ベース１１と平行な面内で回動可能に装置ベース１１上に支持されている。
このチェンジレバー３３の一端側には、駆動ラック３１の第２ピン３１ｑと係合し得る第１係合部３３ａが形成され、他端側には上記サブラック３５の後端ピン３５ｐと係合する第２係合部３３ｂが形成されている。このチェンジレバー３３は、付勢バネ３４により、サブラック３５を後方にスライドさせるように回動する方向へ付勢されている。上記チェンジレバー３３とその付勢バネ３４とが、スライド部材（駆動ラック３１）のスライド動作に連動してサブスライド部材（サブラック３５）を駆動するサブスライド駆動機構に相当している。
【００４１】
メイントレイ６１がディスク装置１内に引き込まれて第１位置にあるときには、チェンジレバー３３は、その第１係合部３３ａが駆動ラック３１の第２ピン３１ｑと係合している。この回動状態では、チェンジレバー３３の第２係合部３３ｂ及び後端ピン３５ｐを介して、サブラック３５は前方位置に維持されている。
【００４２】
駆動ラック３１が後方へスライドし始め、一定距離以上後退すると、チェンジレバー３３の第１係合部３３ａと駆動ラック３１の第２ピン３１ｑとの係合が解除され、チェンジレバー３３は、付勢バネ３４の付勢力により、サブラック３５を後方にスライドさせるようになる。
従って、トレイ（メイントレイ６１）の動作開始は、チェンジレバー３３，サブラック３５及びロックレバー３６を介して、駆動ラック３１のスライド位置に応じて規制されることになる。
【００４３】
また更に、装置ベース１１の左右両側の前部には、上記サブラック３５の前部を支持してそのスライド動作をガイドする左側ガイドピース２７と、上記駆動ラック３１の前部を支持してそのスライド動作をガイドする右側ガイドピース２８とが配設されている。これら左右のガイドピース２７，２８は、また、トレイユニット６０の前後スライド動作に対するガイドの一部をなすものである。
【００４４】
図１４に示すように、駆動ラック３１が後端位置に位置しており、トレイ６１が、ディスク装置１内部のターンテーブル４５の配設位置に対応した位置（第１位置）にある状態で、上記電動モータ２１が駆動されて所定方向へ回転させられると、前述のようにその駆動力が駆動ラック３１に伝達され、該駆動ラック３１が前方へスライドさせられる。駆動ラック３１の第１ピン３１ｐが係合している駆動アーム３２のガイド溝３２ｇは、前後方向へ延びる前後直線部Ｇｓと、この前後直線部Ｇｓの前端部から斜め外側前方に延びる斜方部Ｇｎとで構成されている。上記第１ピン３１pが前後直線部Ｇｓに位置している間は、駆動ラック３１が前動しても、駆動アーム３２に動力が伝達されることはなく、従って、駆動アーム３２が回動させられることはない。
【００４５】
そして、図１５に示すように、駆動ラック３１の第１ピン３１pがガイド溝３２ｇの前後直線部Ｇｓから斜方部Ｇｎにさしかかると、駆動ラック３１の前動に伴って駆動アーム３２がその枢支軸３２ｐを中心にして回動し始める。駆動アーム３２の他端側の駆動ピン３２ｑはメイントレイ６１の長溝６１ｇに係合しており、駆動アーム３２の回動に伴い、駆動ピン３２ｑを介してメイントレイ６１に駆動力が伝達される。その結果、メイントレイ６１が（若しくは、これにサブトレイ７１を組み合わせたトレイユニット６０が）前方へスライドし始める。換言すれば、上記駆動ラック３１の第１ピン３１pが駆動アーム３２のガイド溝３２ｇの前後直線部Ｇｓに位置している間は、駆動ラック３１がスライド動作しても、駆動アーム３２に、駆動力が伝達されることはなく、その回動動作が規制されることになる。すなわち、上記駆動アーム３２に形成されたガイド溝３２ｇの前後直線部Ｇｓが、スライド部材（駆動ラック３１）のスライド位置に応じて駆動アーム３２による第１ディスク支持部材（メイントレイ６１）の駆動を規制する駆動規制機構に相当している。
【００４６】
駆動ラック３１が更に前方へスライドすると、図１６に示すように、上記駆動アーム３２の回動量が更に大きくなり、これに伴って、トレイ６１の前方へのスライド量も更に大きくなって装置１の前方へ引き出されることになる。このようにして、トレイ６１は、ディスク装置１外部のディスク着脱位置に対応した位置（第２位置）に引き出される。
【００４７】
上記電動モータ２１を逆方向に回転させると、駆動ラック３１は後退し、上記とは逆の動作でトレイ６１は装置１内に引き込まれ、ターンテーブル４５の配設位置に対応した第１位置に収納される。
このようにして、上記トレイ６１は、第１位置と第２位置との間で往復動作を行えるようになっている。尚、上記図１４〜１６では、図面の簡略化のためにサブトレイ７１の図示は省略されている。
【００４８】
以上のように、メイントレイ６１は（若しくは、これにサブトレイ７１を組み合わせたトレイユニット６０は）、ディスク装置１内に配設された駆動ラック３１及び駆動アーム３２によって作動させられるので、トレイ６１の裏面側に駆動用のラックや歯車等を設ける必要はない。勿論、これらのための潤滑グリース等で汚れることもない。従って、トレイ６１の裏面側をすっきりした平面状にすることができ、ディスク装置１を縦置き姿勢で使用し、トレイ６１の裏面側が露出する場合でも、従来に比して、その外観性を非常に良好に保つことができるのである。
【００４９】
上記のようにトレイを出し入れする際には、ターンテーブル４５とトレイユニット６０との干渉を回避するために、部品ユニットとしてのトラバースユニット４０を下降させておく必要がある。このトラバースユニット４０の下降は、駆動アーム３２の回動動作が行われない間、つまり、駆動ラック３１の第１ピン３１ｐが駆動アーム３２のガイド溝３２ｇの前後直線部Ｇｓを移動している間に行われる。
【００５０】
図１７及び図１９に示すように、トラバースユニット４０の中間フレーム４２の左右側面に突設された各ピン４２ｐ（支持ピン）は、装置ベース１１の縦壁に形成された縦溝１１ｖ（図８参照）に上下スライド可能に係合し、且つ、その先端部分は、駆動ラック３１及びサブラック３５の内側面に形成されたガイド溝３１ｋ，３５ｋにそれぞれ係合している。
駆動ラック３１側を例にとって説明すれば、図１８及び図１９に示すように、上記ガイド溝３１ｋは、後側が比較的長い直線状（前後方向直線部Ｋｓ）で、前側が斜め上方に立ち上がる直線または曲線状（斜方部Ｋｎ）に形成されている。
【００５１】
中間フレーム４２のピン４２ｐは、トレイユニット６０がディスク装置１内上記第1位置に収納された状態（図１７及び図１８参照）では、ガイド溝３１ｋの斜め上方に立ち上がった斜方部Ｋｎに位置しており、従って、トラバースユニット４０も上方に位置している。この位置が、ターンテーブル４５のディスク再生／記録位置である。
そして、駆動ラック３１が前方へスライドさせられると、上記ピン４２ｐはガイド溝３１ｋに沿って下降し、これに伴なってトラバースユニット４０も下降する（図１９及び図２０参照）。この下降位置では、トレイユニット６０がスライドしてもターンテーブル４５と干渉することがないように設定されている。
【００５２】
上記駆動ラック３１の第２ピン３１ｑは、チェンジレバー３３の第１係合部３３ａと係合しているので、駆動ラック３１の前進動作に伴って図における反時計回り方向へ回動する。チェンジレバー３３の他端側の第２係合部３３ｂは、サブラック３５の後端ピン３５ｐと係合しているので、チェンジレバー３３の上記回動動作に伴なって、サブラック３５は後方へ向ってスライドさせられる。
【００５３】
サブラック３５の各ガイド溝３５ｋは、具体的には図示しなかったが、駆動ラック３１に設けられたガイド溝３１ｋとは逆に、前側が比較的長い直線状で、後側が斜め上方に立ち上がる直線または曲線状に形成されている。
従って、中間フレーム４２の各ピン４２ｐは、トレイユニット６０がディスク装置１内上記第1位置に収納された状態では、ガイド溝３５ｋの斜め上方に立ち上がった箇所に位置しており、従って、トラバースユニット４０も上方に位置している。そして、サブラック３５が後方へスライドさせられると、上記各ピン４２ｐはガイド溝３５ｋに沿って下降し、これに伴なってトラバースユニット４０も下降するようになっている。
【００５４】
以上のように、駆動ラック３１をスライド動作させるだけで、左右両側のピン４２ｐの上下位置を略同時に変更して、トラバースユニット４０の上下位置を変更することができる。尚、下降位置にあるトラバースユニット４０を上昇させる場合には、電動モータ２１の回転方向を逆向きにして駆動ラック３１を上記と逆方向へ（つまり、後方へ）スライドさせれば良い。
上記トラバースユニット４０の中間フレーム４２の側面に突設された各ピン４２ｐ並びに駆動ラック３１及びサブラック３５に設けられた各ガイド溝３１ｋ及び３５ｋが、スライド部材（駆動ラック３１）のスライド動作に連動して部品ユニット（トラバースユニット４０）を昇降させる昇降機構に相当している。
【００５５】
トレイユニット６０を引き出す場合、つまり、駆動ラック３１を前動させる場合、上記トラバースユニット４０が下降し終えるタイミングは、上記駆動アーム３２が回動動作を始めるタイミングと略一致するか、若しくは若干早くなるように設定されている。
以上のように、駆動ラック３１を駆動するだけで、トラバースユニット４０の昇降動作とトレイユニット６０のスライド動作とを一連の動作としてスムースに行わせることができるのである。
【００５６】
上記トレイユニット６０は、図３及び図１０に示されるように、ディスク３の片面を支持する第１ディスク支持部材としてのメイントレイ６１と、該メイントレイ６１と別体に設けられ、ディスク３の他面の一部を支持する第２ディスク支持部材としてのサブトレイ７１とを備えている。そして、図３に示されるように、ディスク装置１が縦置き姿勢で使用される際には、これらメイン及びサブの両トレイ６１及び７１は略平行に組み合わされ、この両者で、ディスク３の一部（下部）を収容するポケット部７０が形成されるようになっている。
【００５７】
尚、上記トレイユニット６０の主要部品、つまり、メイントレイ６１，サブトレイ７１及び後述するディスクガイド７７は何れも、より好ましくは、アクリル樹脂を用いて実質的に透明体として構成されている。これにより、トレイユニット６０のより一層の外観性の向上を図ることができる。
前述のように、メイントレイ６１に（特に、その裏面側に）駆動用のラックや歯車等の駆動用要素を設ける必要がなく、メイントレイ６１が（特に、そのディスク支持面を含めて）実質的に透明なプラスチックで構成されているので、該メイントレイ６１の裏面側からでもディスク３又は５の有無が容易に目視にて確認でき、使用者にとって非常に使い勝手が良く利便性の高いディスク移送装置を提供することができる。
なお、上述のように、メイントレイ６１，サブトレイ７１及びディスクガイド７７は何れも実質的に透明体として構成されているので、トレイユニット６０は、実際にはその全体が透けて見えるのであるが、図面を理解し易くするために、図２１以降の図面においては、基本的に、上側に位置するものを実線で表示し、下側に位置するものは破線で表示することとする。
【００５８】
上記メイントレイ６１は、大径ディスク（１２ｃｍディスク）の片面を支持する大径支持部６１Ｄと小径ディスク（８ｃｍディスク）の片面を支持する小径支持部６１Ｓとを有しており、該小径支持部６１Ｓは大径支持部６１Ｄよりもターンテーブル側に位置するように所定量だけ段下げして形成されている。
尚、図１０からも良く分かるように、上記大径支持部６１Ｄは、具体的には、ディスク３の片面について、センタ穴３ｈ及びその周辺部分を除く外側の環状部分を支持するものである。また、小径支持部６１Ｓについても、同様にディスク片面の外側環状部分を支持するものである。
【００５９】
また、上記小径支持部６１Ｓの外周部には、小径ディスクを支持する際に、ディスク装置１が水平方向から所定角度範囲を越える傾斜状態であっても、小径ディスクの下側外周縁部を係止し得る爪部６６が形成されている。この爪部６６は、ディスク装置１の縦置き姿勢において下側に位置する範囲に、好ましくは複数（本実施の形態では３個）設けられるが、そのサイズによっては真下側に一つのみを設けるようにしても良い。尚、この爪部６６の作用については後述する。
【００６０】
上記トレイユニット６０は、メイン及びサブの両トレイ６１及び７１で支持されたディスク３（大径ディスク）をメイントレイ６１に対して付勢し得る付勢機構として、ディスクガイド７７と付勢バネ７８とを備えている。上記ディスクガイド７７は、メイン及びサブの両トレイ６１及び７１間に配置されるもので、ディスク３の外周の一部に当接し得る円弧状の当接部７７ａを備えている。
【００６１】
また、上記ディスクガイド７７は、その前端の枢支部７７ｂを中心にして回動可能にサブトレイ７１に支持されている。つまり、ディスクガイド７７はサブトレイ７１と平行な（換言すれば、ディスク３と平行な）面内で回動する。このディスクガイド７７は、付勢バネ７８により、メイントレイ６１の中心側へ回動する方向へ常時付勢されている。
【００６２】
従って、図２１〜図２３に示すように、メイン及びサブの両トレイ６１及び７１で形成されたポケット部７０内にその一部（下部）が収容されたディスク３は、図２１及び図２２に示すように、ディスクガイド７７の当接部７７ａに当接した状態で上方へ付勢され、大径支持部６１Ｄの上側の段部と上記ディスクガイド７７の当接部７７ａとで挟まれるようにして、ポケット部７０の内部で安定保持される。
【００６３】
上記図２３から良く分かるように、サブトレイ７１の端部には、メイントレイ６１の端部に係合する係合部７１ａが設けられる一方、メイントレイ６１の端部近傍には該トレイ６１のスライド方向（ディスク装置１の前後方向）に延びる案内溝６１ｒ（サブトレイ案内溝）が形成されている。この案内溝６１ｒに上記係合部７１ａの先端が嵌合することにより、サブトレイ７１は、メイントレイ７１に対して、係合状態を維持しつつ前後方向へ相対的にスライド動作できるようになっている。
【００６４】
このように、本実施の形態に係るトレイユニット６０を用いることにより、メイントレイ６１とサブトレイ７１とでディスク３を支持することができ、この支持状態でディスク３を移送することができる。従って、縦置き姿勢で使用される場合でも、ディスクトレイ６１，７１に対するディスク３の着脱作業を比較的容易に行うことが可能で、また、安定した確実な移送を行うことができる。
【００６５】
特に、上記メイントレイ６１とサブトレイ７１とでポケット部７０が形成され、このポケット部７０にディスク３の一部を収容して支持することができ、この支持状態でディスクを移送することができる。従って、縦置き姿勢で使用される場合でも、ディスクトレイ６１，７１に対するディスク３の着脱作業をより容易に行うことが可能で、また、より安定した確実な移送を行うことができるのである。
【００６６】
また、上記サブトレイ７１はメイントレイ６１とは別体に設けられているので、サブトレイ７１を使用せずにメイントレイ６１のみを使用してディスク３を支持することも可能であり、この場合には、横置き姿勢での使用に対してディスク３をメイントレイ６１の上方から容易に着脱することができる。
【００６７】
特に、ディスクガイド７７及び付勢バネ７８でなる付勢機構を設けたことにより、上記メイン及びサブの両トレイ６１及び７１で支持されたディスク３をメイントレイ６１に対して付勢することができるので、ディスク３を略垂直に支持した状態で移送する場合でも、より一層安定した移送を行うことができ、移送中にガタツキが生じる惧れも無い。また、これにより、メイン及びサブの両トレイ６１及び７１の間隔を比較的大きく設定することが可能になり、両トレイ６１，７１間のスペース（ポケット部７０）内にディスク３を出し入れする際にも、ディスク３が傷付く惧れがそれだけ少なくなり、ディスク３の取り扱いがより容易になる。
【００６８】
また特に、メイン及びサブの両トレイ６１及び７１で支持されたディスク３の外周の一部に当接し得る当接部７７ａを備えたディスクガイド７７が、ディスク３と平行な面内で回動動作し、このディスクガイド７７が付勢バネ７８によりメイントレイ６１に対して付勢される。従って、ディスク３をメイントレイ６１に対して付勢し拘束するに際して、ディスク面（情報信号記録用の面）に何らの悪影響も及ぼす惧れは無い。
【００６９】
上記ディスクガイド７７には、サブトレイ７１側に突出する突起部７７ｐが設けられている。この突起部７７ｐは、ディスクガイド７７をサブトレイ７１に組み付けた組付状態では、サブトレイ７７に形成された長溝７１ｇを挿通している。この長溝７１ｇは、ディスクガイド７７がその枢支部７７ｂを中心にして回動する際における上記突起部７７ｐの回動軌跡に略沿うように形成されている。
【００７０】
図２４及び図２５に示すように、トレイユニット６０がディスク装置１内に収納され、ターンテーブル４５の配設位置に対応した位置（第１位置）にある状態では、サブトレイ７１側がクランプ基板８１で覆われている。このクランプ基板８１の裏面側には、上記ディスクガイド７７の突起部７７ｐに係合するガイド溝８１ｇが形成されている。このガイド溝８１ｇは、その前側から所定距離までは前後方向へ略真直して延びているが、それよりも後方では、外側に向って傾斜しながら終端部まで延びている。
【００７１】
このガイド溝８１ｇの真直部分の位置は、装置１の組立状態において、付勢バネ７８によりディスクガイド７７がメイントレイ６１の中心側へ回動する方向へ付勢されている場合（図２２参照）の上記突起部７７ｐの位置と略合致するように設定されている。
【００７２】
従って、例えば図２２に示されるように、縦置き姿勢で装置外部に引き出されていたトレイユニット６０を、図２４及び図２５に示されるように、装置１の内部に引き込んで上記第１位置に収納する際には、上記ディスクガイド７７の突起部７７ｐは、途中までは付勢バネ７８によるディスクガイド７７の付勢状態を維持するように案内される。そして、この真直部分を越えてトレイユニット６０が引き込まれると、突起部７７ｐは、上記ガイド溝８１ｇの傾斜部分に案内されて外側に移動する。
【００７３】
つまり、上記突起部７７ｐは、サブトレイ７１の長溝７１ｇに沿って外側に移動することとなる。この突起部７７ｐの移動に伴って、ディスクガイド７７は、付勢バネ７８の付勢力に抗して、枢支部７７ｂを中心にして図２１，図２２及び図２４における下方に回動する。この結果、ディスク３は、メイントレイ６１に対する付勢状態が解除され、その拘束が解かれることになる。
【００７４】
このように、ディスク装置１内のターンテーブル配設位置に対応した第１位置では、ディスク３のメイントレイ６１に対する付勢状態が解除されるので、この第１位置では、ディスク３がメイントレイ６１とディスクガイド７７との間で拘束されることはない。従って、ターンテーブル４５に対してディスク３を装着する際に、メイントレイ６１およびディスクガイド７７との干渉によって支障を来すことはない。
【００７５】
この場合において、ディスクガイド７７に突起部７７ｐを設ける一方、クランプ基板８１にガイド溝８１ｇを設け、両者を係合させるだけの比較的簡単な構成で、ディスク３のメイントレイ６１に対する付勢状態とその付勢解除状態とを確実に切り換えることができるのである。
【００７６】
上記トレイユニット６０のメイントレイ６１には、図１０に示されるように、駆動アーム３２の駆動ピン３２ｑに係合される長溝６１ｇが形成されている。また、上記メイントレイ６１の後部には、トレイスライダ６２がその枢支部６２ｂを中心にして回動可能に取り付けられ、更に、その付勢バネ６３が設けられている。該トレイスライダ６２は、上記長溝６１ｇの近傍に配設されており、ディスク装置１の組立状態での駆動アーム３２の（特に、その駆動ピン３２ｑの）位置的誤差を吸収する作用を行う。
【００７７】
また、サブトレイ７１には、その後端部にセンサレバー７２が取付ネジ７３によって取り付けられている。このセンサレバー７２は、好ましくは、金属板で製作されている。また、このセンサレバー７２をロックし得るロックレバー７４（垂直ロックレバー）が、その枢支部７４ｂを中心に回動可能に取り付けられている。更に、この垂直ロックレバー７４を付勢する付勢バネ７５が備えられている。
【００７８】
一方、装置ベース１１の後端側にも、上記センサレバー７２をロックし得るロックレバー３８（水平ロックレバー）が、その枢支軸３８ｐを中心に回動可能に取り付けられ、更に、この水平ロックレバー３８を付勢する付勢バネ３９が備えられている。これらセンサレバー７２，垂直ロックレバー７４及び水平ロックレバー３８については後述する。
【００７９】
前述のように、本実施の形態に係るディスク装置１では、横置き姿勢でトレイを引き出す場合にはメイントレイ６１のみが駆動され（例えば図２７参照）、このメイントレイ６１上にディスク３を載置した状態でディスク移送が行われる。一方、縦置き姿勢でトレイを引き出す場合にはメイントレイ６１とサブトレイ７１の両方が駆動され（例えば図２８参照）、これら両トレイ６１，７１でディスク３を保持させた状態でディスク移送が行われる。
次に、この横置き姿勢と縦置き姿勢でのディスク移送状態の切換機構およびトレイユニット６０を駆動する駆動系について説明する。
【００８０】
上述のように、サブトレイ７１の後端部には、センサレバー７２が取付ネジ７３によって取り付けられている。このセンサレバー７２は、上記取付ネジ７３でサブトレイ７１の後端面に締結固定されるのではなく、この取付ネジ７３の軸部により揺動自在に支持されている。つまり、センサレバー７２は、その自重による垂下状態で、上記サブトレイ７１に対し相対的に揺動自在に支持されている。
【００８１】
このため、ディスク装置１の使用姿勢が変化して水平方向からの傾斜状態が変化し、サブトレイ７１の傾斜状態が同様に変化しても、上記センサレバー７２の自重による垂下状態は変化することはない。従って、サブトレイ７１の傾斜状態が変化した場合には、自重により常に垂直姿勢を保つ上記センサレバー７２に対するサブトレイ７１の相対的な傾斜状態が変わることになる。
【００８２】
図３７は、上記センサレバー７２とトレイユニット６０（メイントレイ６１及びサブトレイ７１）の後端面とを拡大して示す説明図である。この図に示すように、メイントレイ６１の後端部には、上記センサレバー７２を係止し得るレバー係止部６１ｊが設けられている。このレバー係止部６１ｊは、図１０からも良く分かるように、メイントレイ６１の後端部において該メイントレイ６１と平行に延びている。また、このレバー係止部６１ｊの先端には、所定角度αで傾斜する傾斜部６１ｋが形成されている。
更に、より好ましくは、装置ベース１１の後端側には、上記センサレバー７２を係止し得る突起片１１ｊが設けられている（図１０及び図３７参照）。この突起片１１ｊの上側部には、上記所定角度（第1の所定角度）αよりも大きい第２の所定角度βで傾斜する傾斜部６１ｋが形成されている。
【００８３】
ディスク装置１が（従って、メイントレイ６１及びサブトレイ７１が）水平方向から傾斜する場合、その傾斜角度が第１の所定値αに達するまでは、自重により垂下状態にあるセンサレバー７２と上記レバー係止部６１ｊとは係合することは無い。つまり、センサレバー７２が、上記レバー係止部６１ｊとメイントレイ６１との間の溝状の空間内に入り込むことはない。
従って、この状態では、駆動アーム３２によりメイントレイ６１が駆動されて前方へスライドしても、サブトレイ７１へは何らの駆動力も伝達されることはなく、サブトレイ７１は装置１内に静止したままで、メイントレイ６１のみがスライド動作を行なうことになる（図２７参照）。
【００８４】
しかし、その傾斜角度が上記所定値αを越えると、センサレバー７２と上記レバー係止部６１ｊが係合し始める。そして、傾斜角度が第２の所定値βに達するまでは、センサレバー７２は、装置ベース１１の上記突起片１１ｊとメイントレイ６１のレバー係止部６１ｊの両方に係合する。この状態では、センサレバー７２は、上記突起片１１ｊに当接するので前方へ移動することができず、従って、トレイユニット６０の前方への移動は規制される。つまり、例えば図２６で示される状態に維持される。
【００８５】
ディスク装置１が更に傾斜して傾斜角度が第２の所定値βを越えると、センサレバー７２は、上記突起片１１ｊと係合しなくなり、メイントレイ６１のレバー係止部６１ｊのみと係合するようになる。この状態で、メイントレイ６１が駆動されて前方へスライドすると、上記レバー係止部６１ｊ及びセンサレバー７２を介して、メイントレイ６１の駆動力がサブトレイ７１に伝達され、サブトレイ７１はメイントレイ６１と一体的にスライド動作を行なうことになる（図２８参照）。
【００８６】
本実施の形態では、上記所定角度α及びβの値を、例えば３５度及び５０度に設定したが、これらの角度は、センサレバー７２及びレバー係止部６１ｊの形状を変更することにより、種々に設定変更可能である。
また、より好ましくは、上記突起片１１ｊを装置ベース１１に設けたことにより、ディスク装置１の傾斜角度がαを越えβに至るまでは、メイントレイ６１の（つまり、トレイユニット６０の）スライド動作が規制され、ディスク移送はロックされる。
【００８７】
ディスク装置１の傾斜角度がごく僅かに変化するだけでディスク移送状態が切り換えられてしまうと、ユーザにとっては、特に意図しないにも拘わらず、ディスク移送状態が不用意に切り換えられてしまうことになり、使用状態として不安定で、不便さを覚えることも考えられるが、このように、ディスク移送状態が切り換えられる境界部分にロック領域を設けたことにより、かかる不安定な使用状態となることを回避できる。
【００８８】
ここに、ディスク装置１の使用姿勢について、横置き姿勢というときは、水平状態または略水平状態のみならず、ディスク装置１の水平方向からの傾斜角度が上記所定角度α以内の場合も含まれるものとする。また、縦置き姿勢というときは、垂直状態または略垂直状態のみならず、ディスク装置１の水平方向からの傾斜角度が上記所定角度αを越え上記第２の所定値β以上の場合も含まれるものとする。
【００８９】
以上のように、上記センサレバー７２とメイントレイ６１のレバー係止部６１ｊとの係合状態に応じて、駆動アーム３２の駆動力をメイントレイ６１のみに伝達する状態（第１伝達状態）と、上記駆動アーム３２の駆動力の一部をサブトレイ７１に伝達する状態（第２伝達状態）とに、駆動力の伝達状態が切り換えられる。
また、同時に、この駆動力の伝達状態の切り換えに伴って、メイントレイ６１のみでディスク３を支持して移送する移送状態（第１移送状態）と、上記メイン及びサブの両トレイ６１及び７１でディスク３を支持して移送する移送状態（第２移送状態）とに、ディスク移送状態が切り換えられることになる。
【００９０】
このように、上記センサレバー７２とメイントレイ６１のレバー係止部６１ｊとで、駆動アーム３２の駆動力をトレイユニット６０に伝達する伝達状態を切り換える駆動力伝達状態切換機構、及びディスク移送状態を切り換える移送状態切換機構が構成されている。また、上記センサレバー７２が、これら切換機構による切換状態を定める切換レバーの役割を果たしている。
【００９１】
以上のように、メイントレイ６１のみでディスク３を支持して移送する移送状態（第１移送状態）と、上記メイン及びサブの両トレイ６１及び７１でディスク３を支持して移送する移送状態（第２移送状態）とに、ディスク移送状態が切り換えられることにより、ディスク装置１の横置き姿勢と縦置き姿勢の何れにも容易に対応して使用することができる。すなわち、所謂、２ウェイ・レイアウトフリーでの使用に対応することができる。
【００９２】
また、ディスク装置１の水平からの傾斜角度に応じて移送状態を切り換えることができる。つまり、ディスク装置１の傾斜状態に応じて、ディスク３の移送状態を、第１移送状態と第２移送状態との間で好適に切り換えることができる。
【００９３】
特に、メイントレイ６１は、駆動アーム３２に連結されていることによりディスク移送時には常時駆動される。一方、サブトレイ７１には、第２移送状態においてのみ、センサレバー７２及びレバー係止部６１ｊを介して上記駆動アーム３２の駆動力の一部が伝達される。すなわち、ディスク３の移送状態を切り換える際に、サブトレイ６１への駆動力伝達の切り換えを確実に行うことができる。
【００９４】
また、本実施の形態では、ディスク装置１が横置き姿勢でトレイ（つまり、メイントレイ６１のみ）が引き出された後、装置１が縦置き姿勢に変更された場合でも、メイントレイ６１を支障無く装置１内に引き込んで収納できるように、上述の水平ロックレバー３８（第１ロック部材）が設けられている。
更に、この逆に、ディスク装置１が縦置き姿勢でトレイユニット（つまり、メイントレイ６１とサブトレイ７１）が引き出された後、装置１が横置き姿勢に変更された場合でも、メイントレイ６１及びサブトレイ７１を支障無く装置１内に引き込んで収納できるように、上述の垂直ロックレバー７４（第２ロック部材）が設けられている。
【００９５】
図２９及び図３０は、ディスク装置１の横置き状態において、例えばディスク再生状態など、トレイユニット６０が完全にディスク装置１内に引き込まれて収納された状態におけるトレイユニット６０の後部を拡大して示す説明図である。これらの図に示すように、この完全収納状態では、上記水平ロックレバー３８は、その先端部がトレイユニット６０の後端面（特に、メイントレイ６１の後端面）で後方に押圧され、センサレバー７２とは全く係合しない状態にある。この水平ロックレバー３８は、付勢バネ３９により、その先端がトレイユニット６０側に向って（特に、サブトレイ７１側に向って）回動する方向、つまり、図２９における反時計回り方向へ付勢されている。
【００９６】
尚、垂直ロックレバー７４も、付勢バネ７５により、同方向（先端７４ａがトレイユニット６０側に向って回動する方向）へ付勢されているが、図２９の状態では、先端部７４ａの反対側の端部が装置ベース１１の例えば縦壁に当接して押圧されることにより、センサレバー７２とは全く係合しない回動状態にある。従って、この状態では、図３０に示されるように、センサレバー７２は、その自重による垂下状態にあり、完全に揺動自在である。
【００９７】
図２９及び図３０で示された状態から、横置き状態のままでトレイ（メイントレイ６１のみ）が引き出される時点では、図３１及び図３２に示すように、センサレバー７２は依然としてその自重による垂下状態にあり、完全に揺動自在である。つまり、水平ロックレバー３８及び垂直ロックレバー７４とは、未だ係合していない。
【００９８】
そして、図３３に示すように、メイントレイ６１が引き出されてサブトレイ７１のみが装置１内に残された状態では、上記水平ロックレバー３８が、付勢バネ３９の付勢力により図３３における反時計回り方向へ回動される。この結果、センサレバー７２は、垂下状態で水平ロックレバー３８によってその揺動動作がロックされる。
従って、この状態で、ディスク装置１の使用姿勢が縦置き姿勢に変更されても、センサレバー７２は水平ロックレバー３８でロックされて揺動することはなく、縦置き姿勢でメイントレイ６１を再び装置１内に引き込む際に、センサレバー７２と干渉することはない。
【００９９】
このように、メイントレイ６１のみが駆動された場合には、水平ロック部材３８により上記センサレバー７２の揺動動作が阻止されるので、横置き姿勢でメイントレイ６１を装置１の外部に引き出した後、当該ディスク装置１を縦置き姿勢に変えて上記メイントレイ６１を装置１の内部に戻す場合でも、センサレバー７２によってその戻し動作が阻害されることはない。
また、この場合において、メイントレイ６１が装置１の内部に収納されているときには、上記センサレバー７２の揺動動作の阻止状態は解除されるので、センサレバー７２によるディスク移送状態の切換機能に支障を来すことはない。
【０１００】
図３４及び図３５は、ディスク装置１の縦置き状態においてディスク装置１内に収納されたトレイユニット６０の後部を拡大して示す説明図である。
これらの図に示すように、この収納状態では、上記垂直ロックレバー７４は、先端部７４ａの反対側の端部が装置ベース１１の例えば縦壁に当接して押圧されることにより、センサレバー７２とは全く係合しない回動状態にある。従って、この状態では、図３５に示されるように、センサレバー７２の一部が、メイントレイ６１のレバー係止部６１ｊに係合し（つまり、該レバー係止部６１ｊとメイントレイ６１との間の溝状の空間内に入り込み）、且つ、その自重による垂下状態にあり完全に揺動自在である。
【０１０１】
そして、図３６に示すように、トレイユニット６０（メイントレイ６１とサブトレイ７１）が装置１から外部に引き出された状態では、上記垂直ロックレバー３４が、付勢バネ７５の付勢力により図３６における反時計回り方向へ回動される。この結果、垂直ロックレバー７４の先端部７４ａがセンサレバー７２の側方に位置することとなり、センサレバー７２は、メイントレイ６１のレバー係止部６１ｊに係合した垂下状態で、垂直ロックレバー７４によってその揺動動作がロックされる。
従って、この状態で、ディスク装置１の使用姿勢が横置き姿勢に変更されても、センサレバー７２は垂直ロックレバー７４でロックされて揺動することはなく、横置き姿勢でトレイユニット６０を再び装置１内に引き込む際に、センサレバー７２と干渉することはない。
【０１０２】
このように、メイン及びサブの両トレイ６１及び７１が駆動された場合には、垂直ロックレバー７４により上記センサレバー７２の揺動動作が阻止されるので、縦置き姿勢でメイン及びサブの両トレイ６１及び７１を装置１の外部に引き出した後、ディスク装置１を横置き姿勢に変えて上記両トレイ６１及び７１を装置１の内部に戻す場合でも、センサレバー７２によってその戻し動作が阻害されることはない。この場合において、メイン及びサブの両トレイ６１及び７１が装置１の内部に収納されているときには、上記センサレバーの揺動動作の阻止状態は解除されるので、センサレバー７２によるディスク移送状態の切換機能に支障を来すことはない。
【０１０３】
以上のように、上記水平ロックレバー３８と垂直ロックレバー７４とを備えたことにより、縦置き姿勢で引き出したトレイユニット６０を横置き姿勢に変更した状態でも、支障なく装置１内に引き込んで収納でき、或いは、その逆に、横置き姿勢で引き出したトレイ６１（メイントレイ）を縦置き姿勢に変更した状態でも、支障なく装置１内に引き込んで収納することもできる。すなわち、所謂、完全レイアウトフリーが求められる場合にも、有効に対応することができるのである。
【０１０４】
次に、ディスク装置１のクランプユニット８０について説明し、併せて、ディスク装置１が縦置き状態で、小径（８ｃｍ）ディスクの移送を行う場合について説明する。
図７及び図１１に示すように、上記クランプユニット８０は、ディスク装置１の装置ベース１１に組み付けられるクランプ基板８１と、クランパ本体８３を有するクランパ９０と、該クランパ９０をクランプ基板８１に係止するスプリングフック８２とを備えている。
【０１０５】
上記クランプ基板８１は、両側部に複数の取付脚部を有し、その先端部には装置ベース１１の縦壁部に係合する爪部８１ａが設けられている。尚、クランプ基板８１の裏面側には、前述のように、ディスクガイド７７の突起部７７ｐの前後方向への移動を案内するガイド溝８１ｇが形成されている。
また、クランプ基板８１の中央部分には、スプリングフック８２（クランパ支持部材）を介してクランパ９０を支持するために、円形の開口部８１ｈが設けられている。
【０１０６】
上記クランパ９０は、ターンテーブル４５と協働してディスクを挟持するもので、図４０及び図４１にも示すように、クランパ本体８３の内部に、クランパラバー８５，ワッシャ８６，マグネット８７，コイルバネ８８及びバネホルダ８９を順次組み付けた上で、端面部にクランパシート８４を貼り付けて構成されている。
このクランパ９０をクランプ基板８１の開口部８１ｈの下方から挿入し、上方からスプリングフック８２を組み付けてその取付脚部８２ａを係合させることにより、このスプリングフック８２を介して、クランパ９０がクランプ基板８１に支持される。
【０１０７】
上記スプリングフック８２の各取付脚部８２ａは、コイルバネ８８の下端側を保持するスプリングホルダ８９に係合している。また、上記コイルバネ８８の上端側は、クランパ本体８３の内側上部に当接している。従って、上記コイルバネ８８は、クランパ支持部材としてのスプリングフック８２とクランパ９０との間に介装されていることになる。
【０１０８】
上記コイルバネ８８は、クランパ９０に外力が作用しない通常時には、図４０に示されるように、伸長した初期状態にある。そして、ターンテーブル４５が接近してマグネット８７との間に磁力が作用するようになると、図４１に示されるように、コイルバネ８８の付勢力に抗して、マグネット８７がターンテーブル４５の方向に引き寄せられる結果、収縮状態となる。
【０１０９】
すなわち、クランパ本体８３がスプリングフック８２を介して上記クランプ基板８１に支持された状態で、ターンテーブル４５との間に上記小径ディスク５を挟持する際には、該ディスク５と当接するクランパ９０は、クランパ本体８３を介して、コイルバネ８８により反ディスク挟持方向（図４１における上方）へ付勢されることになる。
【０１１０】
また、図３８は上記メイントレイ６１の小径支持部６１Ｓの一部を拡大して示す説明図、図３９は上記小径支持部６１Ｓの係止爪部を拡大して示す断面説明図である。これらの図に示すように、上記小径支持部６１Ｓは大径支持部６１Ｄよりもターンテーブル側に位置するように所定量だけ段下げして形成されている。
【０１１１】
上記小径支持部６１Ｓの外周部には、小径ディスク５を支持する際に、ディスク装置１が水平方向から所定角度範囲を越える傾斜状態であっても、小径ディスク５の下側外周縁部を係止し得る係止爪部６６が形成されている。この爪部６６は、ディスク装置１の縦置き姿勢において下側に位置する範囲に、好ましくは複数（本実施の形態では３個）設けられるが、そのサイズによっては真下側に一つのみを設けるようにしても良い。
また、上記各係止爪部６６には、その両面に傾斜部６６ａ，６６ｂを備えており、上記小径ディスク５の外周縁部が係止爪部６６を乗り越える際には、上記傾斜部６６ａ，６６ｂに沿うようにして乗り越えることにより、その乗り越え動作を助勢することができる。
【０１１２】
図４２（ａ）〜（ｃ）は、上記係止爪部６６によって小径支持部６１Ｓに支持された小径ディスク５が、クランパ９０とターンテーブル４５との間に挟持される一連の動作を示す説明図である。
これらの図に示されるように、上記各係止爪部６６でその下側の外周縁部が係止された小径ディスク５は、ターンテーブル４５に対しローディングされる際には、上記複数の爪部６６で係止された外周縁部が上記各爪部６６を乗り越えるようにしてクランパ９０側に移動して、該クランパ９０と上記ターンテーブル４５との間に磁力によって挟持される。
【０１１３】
すなわち、図４２（ａ）に示されるように、クランパ９０とターンテーブル４５とがある程度以上離間しており、その間に小径ディスク５が位置した状態では、小径ディスク５は、メイントレイ６１の小径支持部６１Ｓの下端側に落ち込んだ状態で、その下側外周縁部が係止爪部６６に係止されている。つまり、この状態では、小径ディスク５のセンタ穴部５ｈは、所定量だけ下方に偏心している。
【０１１４】
この状態から、ターンテーブル４５がクランパ９０に接近して行くと、上記センタ穴５ｈにターンテーブル４５のテーパ部４５ｃが係合し、図４２（ｂ）に示すように、その傾斜に沿って小径ディスク５が持ち上げられることになる。また、このとき、マグネット８７とターンテーブル４５との間に磁力が作用することにより、クランパ９０がターンテーブル４５側に引き寄せられ（図４２（ｂ）における矢印参照）、両者間にディスク５が挟持される。
【０１１５】
そして、図４２（ｃ）に示すように、ターンテーブル４５がクランパ９０側へ更に移動することにより、小径ディスク５は、その下側外周縁部が係止爪部６６を乗り越えてクランパ９０側へ移動する。このとき、ディスク５の下側外周縁部は、傾斜部６６ａに沿うようにして、スムースに係止爪部６６を乗り越えるようになっている。尚、上記図４２（ｂ）及び（ｃ）の状態では、コイルバネ８８による反ディスク挟持方向の付勢力がクランパ９０に作用している。
【０１１６】
上記係止爪部６６のサイズ及び形状、つまり、爪部６６の幅，高さ（突出量）及び傾斜部６６ａ，６６ｂの形状等は、このようにして小径ディスク５の下側外周縁部が乗り越えることができ、且つ、縦置き姿勢でのディスク５の移送時に、該小径ディスク５を確実に小径支持部６１Ｓ内に支持できるように、好適に設定されている。
【０１１７】
図４３（ａ）〜（ｃ）は、上記クランパ９０とターンテーブル４５との間に挟持された小径ディスク５がメイントレイ６１の小径支持部６１Ｓ上に戻されて支持される一連の動作を示す説明図である。
上記クランパ９０とターンテーブル４５との間に挟持された上記小径ディスク５は、上記ターンテーブル４５からアンローディングされる際には、外周縁部が上記各係止爪部６６を乗り越えるようにしてターンテーブル４５側に移動して、該ターンテーブル４５と上記クランパ９０とによる挟持状態が解除される。
【０１１８】
すなわち、図４３（ａ）に示されるように、ディスク５の再生位置では、クランパ９０は、クランプ基板８１から若干浮いた状態にあり、この再生位置からターンテーブル４５が徐々に離間して行くと、図４３（ｂ）に示すように、クランパ９０は、コイルバネ８８を圧縮しながら（つまり、コイルバネ８８の付勢力に抗して）、ターンテーブル４５側に移動する。
【０１１９】
そして、小径ディスク５の下側外周縁部は、ディスク５を挟持するときとは逆方向に係止爪部６６を乗り越える。この図４３（ｂ）の状態では、ターンテーブル４５とマグネット８７との間に作用する磁力が、上記コイルバネ８８の付勢力よりも大きく、ディスク５はターンテーブル４５とクランパ９０との間に保持されている。
【０１２０】
ターンテーブル４５が更に離間方向へ移動すると、ターンテーブル４５とマグネット８７との間に作用する磁力は、上記コイルバネ８８の付勢力よりも小さくなり、図４３（ｃ）に示すように、小径ディスク５は、メイントレイ６１の小径支持部６１Ｓの下端側に落ち込んだ状態で、その下側外周縁部が係止爪部６６に係止されるようになっている。
【０１２１】
一方、大径（１２ｃｍ）ディスク３の場合には、縦置き姿勢で再生される場合には、メイントレイ６１とサブトレイ７１とで形成されるポケット部７０の空間幅内で上記クランパ９０とターンテーブル４５との間に挟持され、この空間幅内で、支障無くターンテーブル４５へのローディング／アンローディングを行うことができるように設定されている。
【０１２２】
以上のように、本実施の形態では、小径ディスク５は、水平方向から所定角度範囲を越える傾斜状態であっても、メイントレイ６１の小径支持部６１Ｓの外周部に形成された係止爪部６６によってその下側外周縁部を係止されることにより、支障なく移送することができる。この場合において、ターンテーブル４５へのローディング動作時には、上記爪部６６で係止された小径ディスク５の外周縁部が上記各爪部６６を乗り越えるようにしてクランパ９０側に移動し、小径ディスク５がクランパ９０とターンテーブル４５との間に挟持される。
【０１２３】
一方、ターンテーブル４５からのアンローディング動作時には、小径ディスク５の外周縁部が上記爪部６６を乗り越えるようにしてターンテーブル４５側に移動し、小径ディスク５がターンテーブル４６とクランパ９０とによる挟持状態が解除される。つまり、ターンテーブル４５に対し支障なく小径ディスク５のローディング及びアンローディングを行うことができる。
【０１２４】
特に、上記係止爪部６６は両面に傾斜部６６ａ，６６ｂを備えており、小径ディスク５の外周縁部は、上記に傾斜部６６ａ，６６ｂ沿って爪部６６を乗り越えるので、特に大きな力を要することなくスムースに係止爪部６６を乗り越えることができる。
【０１２５】
また、小径ディスク５と当接するクランパ９０とスプリングフック８２の間に、該クランパ９０を反ディスク挟持方向へ付勢するコイルバネ８８が配設されているので、クランパ９０とターンテーブル４５間に作用する磁力がコイルバネ８８の付勢力よりも大きい間は、クランパ９０が上記付勢力に抗してターンテーブル４５側に移動して小径ディスク５は両者間に挟持された状態が維持され、上記磁力が付勢力よりも小さくなって初めて挟持状態が解除される。
【０１２６】
従って、上記磁力と付勢力とを好適に設定することにより、ターンテーブル４５とクランパ９０による挟持位置が大径ディスク３と小径ディスク５とで同一であり、且つ、メイントレイ６１の小径支持部６１Ｓが大径支持部６１Ｄよりも段下げされていても、その段下げ量に相当する距離分だけ長く小径ディスク５を挟持状態に維持することが可能になり、小径ディスク５を支障なくターンテーブル４５からアンローディングさせて、当該小径ディスク５をメイントレイ６１の小径支持部６１Ｓに戻すことができるのである。また、ターンテーブル４５とクランパ９０間での磁力によるディスク挟持状態が解除されると、クランパ９０は初期位置に復帰するようになっている。
【０１２７】
尚、本発明は、以上の実施態様に限定されるものではなく、その要旨を逸脱しない範囲において、種々の改良あるいは設計上の変更が可能であることは言うまでもない。
【０１２８】
【発明の効果】
本願の第１の発明によれば、第１ディスク支持部材と第２ディスク支持部材とでディスクを支持することができ、この支持状態でディスクを移送することができる。従って、縦置き姿勢で使用される場合でも、ディスク支持部材に対するディスクの着脱作業を比較的容易に行うことが可能で、また、安定した確実な移送を行うことができる。更に、上記第２ディスク支持部材は第１ディスク支持部材とは別体に設けられているので、第２ディスク支持部材を使用せずに第１ディスク支持部材のみを使用してディスクを支持することも可能であり、この場合には、横置き姿勢での使用に対してディスクを第１支持部材の上方から容易に着脱することができる。
この場合において、上記第１ディスク支持部材は、上記スライド部材とスライド駆動機構と駆動アームとを備えたディスク支持部材駆動装置により、上記第１位置と第２位置との間で往復動可能に駆動される。上記スライド部材，スライド駆動機構および駆動アームは、何れも装置ベースに設けられており、これら駆動用の要素が第１ディスク支持部材に設けられることはない。すなわち、この第１ディスク支持部材の裏面側に駆動用のラックや歯車等を設ける必要はなく、勿論、これらのための潤滑グリース等が塗布されることもない。従って、第１ディスク支持部材の裏面側をすっきりした平面状にすることができ、ディスク装置１を縦置き姿勢で使用し、第１ディスク支持部材の裏面側が露出する場合でも、使用者の手や衣服などを汚す惧れもなく、また、従来に比して、その外観性を非常に良好に保つことができるのである。
また、特に、上記駆動力伝達状態切換機構により、第１ディスク支持部材のみに駆動アームの駆動力を伝達する第１伝達状態と、駆動アームの駆動力の一部を第２ディスク支持部材に伝達する第２伝達状態とに、駆動力の伝達状態を切り換えることができる。従って、ディスク装置の横置き姿勢と縦置き姿勢の何れにも容易に対応して使用することができ、所謂レイアウトフリーを実現することができる。特に、上記駆動力伝達状態切換機構により、ディスクの水平からの傾斜角度に応じて駆動力の伝達状態を切り換えることができるので、ディスク装置の傾斜状態に応じて、駆動力の伝達状態を、第１伝達状態と第２伝達状態との間で好適に切り換えることができる。
【０１２９】
また、本願の第２の発明によれば、基本的には上記第１の発明と同様の作用効果を奏することができる。特に、鉛直方向に対して所定角度を越える一定値の角度で傾斜する傾斜部を有し、ディスクの傾斜角度が上記一定値を越えるまでは上記レバー部材を係止し得る突起部を装置ベースに設けたことにより、上記ディスクの傾斜角度が上記所定角度を越え上記一定値の角度に至るまでは、上記レバー部材が上記突起部と上記レバー係止部の両方と係合して上記第１ディスク支持部材及び上記第２ディスク支持部材の移動が規制され、ディスク移送はロックされる。このように、ディスク移送状態が切り換えられる境界部分にロック領域を設けたことにより、ディスクの傾斜角度がごく僅かに変化するだけでディスク移送状態が切り換えられてしまうような不安定な使用状態となることを回避できる。
【０１３０】
更に、本願の第３の発明によれば、基本的には上記第１又は第２の発明と同様の作用効果を奏することができる。特に、上記第１及び第２のディスク支持部材の少なくとも何れか一方は、実質的に透明なプラスチックで形成されていることにより、ディスク支持部材の外観性をより高め、見映えのより一層の向上を図ることができる。また、上記第１ディスク支持部材に（特に、その裏面側に）駆動用のラックや歯車等の駆動用要素を設ける必要がないので、第１ディスク支持部材のディスク支持面の少なくとも一部を実質的に透明なプラスチックで構成した場合、該第１ディスク支持部材の裏面側からでもディスクの有無が容易に確認でき、使用者にとって非常に使い勝手の良いディスク移送装置を提供することができる。
【０１３１】
また更に、本願の第４の発明によれば、基本的には上記第１〜第３の発明の何れか一と同様の作用効果を奏することができる。特に、スライド部材のスライド動作に連動して部品ユニットを昇降させる昇降機構と、スライド部材のスライド位置に応じて上記駆動アームによる第１ディスク支持部材の駆動を規制する駆動規制機構とが設けられており、ディスク支持部材が上記第１位置にある場合において、スライド部材が所定位置に達するまでは、上記駆動規制機構により第１ディスク支持部材の駆動が規制され、且つ、上記昇降機構により部品ユニットが（従って、ターンテーブルが）下降させられる。そして、スライド部材が上記所定位置に達すると上記駆動規制機構による規制が解除され、駆動アームによる第１ディスク支持部材の駆動が可能となる。
従って、ターンテーブルが下降しないうちにディスク支持部材が駆動されて両者が干渉することが、確実に防止される。この場合において、上記スライド部材を駆動するだけで、部品ユニットの昇降動作（つまり、ターンテーブルの昇降動作）とディスク支持部材のスライド動作とが一連の動作として行われるので、比較的簡単な構成で、これら両動作を一連のものとしてスムースに行わせることができる。
【０１３２】
また更に、本願の第５の発明によれば、基本的には上記第４の発明と同様の作用効果を奏することができる。特に、部品ユニットの一対の平行な側面部に対向するようにスライド部材及びサブスライド部材が配置され、上記部品ユニットは、各側面部に設けられた支持ピンが上記スライド部材及びサブスライド部材の各ガイド溝にそれぞれ係合することによりその昇降動作が案内されるので、上記部品ユニットの昇降動作を確実かつ安定して行わせることができる。
【図面の簡単な説明】
【図１】  本発明の実施の形態に係るディスク装置が組み込まれた横置きタイプのパーソナル・コンピュータの斜視図である。
【図２】  上記ディスク装置が組み込まれた縦置きタイプのパーソナル・コンピュータの斜視図である。
【図３】  上記縦置きタイプのパーソナル・コンピュータにおいて、その外部に引き出されたディスク及びディスクトレイを拡大して示す斜視図である。
【図４】  上記ディスク装置の横置き姿勢でのトレイ収納状態を示す斜視図である。
【図５】  上記ディスク装置の横置き姿勢でのトレイ引き出し状態を示す斜視図である。
【図６】  上記ディスク装置の縦置き姿勢でのトレイ引き出し状態を示す斜視図である。
【図７】  上記ディスク装置の横置き姿勢での分解斜視図である。
【図８】  上記ディスク装置のベースユニットを拡大して示す分解斜視図である。
【図９】  上記ディスク装置のトラバースユニットを拡大して示す分解斜視図である。
【図１０】  上記ディスク装置のトレイユニットを拡大して示す分解斜視図である。
【図１１】  上記ディスク装置のクランプユニットを拡大して示す分解斜視図である。
【図１２】  上記トラバースユニットとトレイ駆動機構の一部を示す平面説明図である。
【図１３】  上記トレイ駆動機構を示す平面説明図である。
【図１４】  トレイ収納状態における駆動アームと駆動ラックをを示す平面説明図である。
【図１５】  トレイ前動直前の状態における駆動アームと駆動ラックをを示す平面説明図である。
【図１６】  トレイ引き出し状態における駆動アームと駆動ラックをを示す平面説明図である。
【図１７】  トレイ収納状態における駆動ラック及びサブラック並びに中間フレームを示す平面説明図である。
【図１８】  上記図１７におけるＹ１８−Ｙ１８矢印方向からの矢視図である。
【図１９】  トレイ引き出し開始状態における駆動ラック及びサブラック並びに中間フレームを示す平面説明図である。
【図２０】  上記図１９におけるＹ２０−Ｙ２０矢印方向からの矢視図である。
【図２１】  上記トレイユニットのサブトレイ及びディスクガイドを示す側面説明図である。
【図２２】  縦置き姿勢での上記トレイユニットのディスク装置外部への引き出し状態を示す側面説明図である。
【図２３】  縦置き姿勢での上記トレイユニットのディスク装置外部への引き出し状態を示す正面説明図であり、上記図２２におけるＹ２３−Ｙ２３矢印方向からの矢視図である。
【図２４】  縦置き姿勢での上記トレイユニットのディスク装置内部への収納状態を示す側面説明図である。
【図２５】  縦置き姿勢での上記トレイユニットのディスク装置内部への収納状態を示す正面説明図であり、上記図２４におけるＹ２５−Ｙ２５矢印方向からの矢視図である。
【図２６】  上記トレイユニットのディスク装置内部への収納状態を示す平面説明図である。
【図２７】  縦置き姿勢での上記トレイユニットのディスク装置外部への引き出し状態を示す平面説明図である。
【図２８】  縦置き姿勢での上記トレイユニットのディスク装置外部への引き出し状態を示す側面説明図である。
【図２９】  横置き姿勢でディスク装置内部に収納されたトレイユニットの後部を拡大して示す説明図である。
【図３０】  上記図２９におけるＹ３０−Ｙ３０矢印方向からの矢視図である。
【図３１】  横置き姿勢でディスク装置から引き出される直前のトレイユニットの後部を拡大して示す説明図である。
【図３２】  上記図３１におけるＹ３２−Ｙ３２矢印方向からの矢視図である。
【図３３】  横置き姿勢でディスク装置からメイントレイが引き出された後におけるサブトレイの後部を示す説明図である。
【図３４】  縦置き姿勢でディスク装置内部に収納されたトレイユニットの後部を拡大して示す説明図である。
【図３５】  上記図３４におけるＹ３５−Ｙ３５矢印方向からの矢視図である。
【図３６】  縦置き姿勢でディスク装置から引き出された後におけるトレイユニットの後部を示す説明図である。
【図３７】  トレイユニットの後端面とセンサレバーとを拡大して示す説明図である。
【図３８】  メイントレイの小径支持部の一部を拡大して示す説明図である。
【図３９】  上記小径支持部の係止爪部を拡大して示す図で、上記図３８におけるＹ３９−Ｙ３９線に沿った断面説明図である。
【図４０】  クランパのスプリング伸長状態を示す断面説明図である。
【図４１】  上記クランパのスプリング収縮状態を示す断面説明図である。
【図４２】（ａ）係止爪部でメイントレイの小径支持部に支持された小径ディスクがクランパとターンテーブルとの間に挟持される一連の動作を示す説明図の一部である。
（ｂ）上記小径ディスクがクランパとターンテーブルとの間に挟持される一連の動作を示す説明図の一部である。
（ｃ）上記小径ディスクがクランパとターンテーブルとの間に挟持される一連の動作を示す説明図の一部である。
【図４３】（ａ）上記クランパとターンテーブルとの間に挟持された小径ディスクがメイントレイの小径支持部に支持される一連の動作を示す説明図の一部である。
（ｂ）上記小径ディスクがメイントレイの小径支持部に支持される一連の動作を示す説明図の一部である。
（ｃ）上記小径ディスクがメイントレイの小径支持部に支持される一連の動作を示す説明図の一部である。
【図４４】  従来例に係るディスク装置が組み込まれた縦置きタイプのパーソナル・コンピュータの斜視図である。
【符号の説明】
１…ディスク装置
３…ディスク
１１…装置ベース
１１Ｈ…開口部
１１Ｖ…縦溝
２１…電動モータ
２２…モータプーリ
２３…ベルト
２４…プーリギヤ
２５…中間ギヤ
２６…出力ギヤ
３１…駆動ラック
３１ｇ…ラック歯
３１ｋ…ガイド溝
３１ｐ…第１ピン
３１ｑ…第２ピン
３２…駆動アーム
３２ｇ…ガイド溝
３２ｐ…枢支ピン
３２ｑ…駆動ピン
３３…チェンジレバー
３３ａ…第１係合部
３３ｂ…第２係合部
３３ｐ…枢支部
３４…付勢バネ
３５…サブラック
３５ｋ…ガイド溝
３５ｐ…後端ピン
３８…水平ロックレバー
４０…トラバースユニット
４１…トラバースベース
４２…中間フレーム
４２ｐ…ピン
４５…ターンテーブル
６０…トレイユニット
６１…メイントレイ
６１ｇ…長溝
６１ｊ…係止部
６１ｋ…傾斜面
７１…サブトレイ
７２…センサレバー
７４…垂直ロックレバー
Ｋｓ，Ｇｓ…前後直線部
Ｋｎ，Ｇｎ…斜方部
【図１】
0003866972.tif 000002
【図２】
0003866972.tif 000003
【図３】
0003866972.tif 000004
【図４】
0003866972.tif 000005
【図５】
0003866972.tif 000006
【図６】
0003866972.tif 000007
【図７】
0003866972.tif 000008
【図８】
0003866972.tif 000009
【図９】
0003866972.tif 000010
【図１０】
0003866972.tif 000011
【図１１】
0003866972.tif 000012
【図１２】
0003866972.tif 000013
【図１３】
0003866972.tif 000014
【図１４】
0003866972.tif 000015
【図１５】
0003866972.tif 000016
【図１６】
0003866972.tif 000017
【図１７】
0003866972.tif 000018
【図１８】
0003866972.tif 000019
【図１９】
0003866972.tif 000020
【図２０】
0003866972.tif 000021
【図２１】
0003866972.tif 000022
【図２２】
0003866972.tif 000023
【図２３】
0003866972.tif 000024
【図２４】
0003866972.tif 000025
【図２５】
0003866972.tif 000026
【図２６】
0003866972.tif 000027
【図２７】
0003866972.tif 000028
【図２８】
0003866972.tif 000029
【図２９】
0003866972.tif 000030
【図３０】
0003866972.tif 000031
【図３１】
0003866972.tif 000032
【図３２】
0003866972.tif 000033
【図３３】
0003866972.tif 000034
【図３４】
0003866972.tif 000035
【図３５】
0003866972.tif 000036
【図３６】
0003866972.tif 000037
【図３７】
0003866972.tif 000038
【図３８】
0003866972.tif 000039
【図３９】
0003866972.tif 000040
【図４０】
0003866972.tif 000041
【図４１】
0003866972.tif 000042
【図４２】
0003866972.tif 000043
【図４３】
0003866972.tif 000044
【図４４】
0003866972.tif 000045